(57)【要約】【課題】部品点数を増すことなく、製造コストを上げずに、結露による電気部品への悪影響を防止することができるレジスタを提供する。【解決手段】レジスタ１は通風路６を内部に形成したリテーナ２の下流側端部に、吹出口５を有したベゼル３が取り付けられ、風向を調整するためのバレルユニット１０がリテーナ２内に配設される。ベゼル３の下部に下部延設部３ａがリテーナ２の下側を覆うように設けられる。ベゼル３の下部の下部延設部３ａに電気部品２０が取り付けられる。下部延設部３ａのリテーナ２との間の内側面に水滴用リブ９が突設される。水滴用リブ９は、リテーナ２の外壁面２ａに結露した水滴を、電気部品２０から外れた位置に誘導して流すように形成された。【選択図】図３
0003168276.tif 000002
【実用新案登録請求の範囲】
【請求項１】
通風路を内部に形成したリテーナの下流側端部に、吹出口を有したベゼルが取り付けられ、風向を調整するための可動ルーバ或いはバレルユニットが該リテーナ内に配設されてなるレジスタにおいて、
該ベゼルの下部に下部延設部が該リテーナの下側を覆うように設けられ、該ベゼルの下部の該下部延設部に電気部品が取り付けられ、該下部延設部の該リテーナとの間の内側面に水滴用リブが突設され、該水滴用リブは、該リテーナの外側面に結露した水滴を、該電気部品から外れた位置に誘導して流すように形成されたことを特徴とするレジスタ。
【請求項２】
前記水滴用リブは、中央部を高く、両側部を該中央部より低くした形状の略山形に形成されたことを特徴とする請求項１記載のレジスタ。
【請求項３】
前記水滴用リブは、一端を高くし他端を低くした略傾斜形に形成されたことを特徴とする請求項１記載のレジスタ。
【考案の詳細な説明】
【技術分野】
【０００１】
本考案は、自動車室内等の空調装置の空気吹出口に使用されるレジスタに関し、特に、冷風の吹き出しにより発生する結露に起因した不具合を防止するようしたレジスタに関する。
【背景技術】
【０００２】
自動車用の空調用レジスタとして、ベゼル及びリテーナ内の通風路に、風向等を調整する横可動ルーバと縦可動ルーバ、或いは横可動ルーバを有したバレルユニットを配設し、その上流側に送風を止め或は風量を調整するダンパプレートを開閉可能に設けた構造のレジスタが、従来、広く使用されている。
【０００３】
本出願人は、下記特許文献１において、縦長のリテーナを有し、リテーナの上部開口部に可動ルーバを備えたバレルユニット回動操作可能に配し、斜め上方に向けて送風を行うレジスタを提案している。
【０００４】
ところで、冷房時のレジスタには、エバポレータを通過して冷やされた冷風が送風され、リテーナ内を通過するが、冷風を送風したとき、リテーナが冷やされ、或いはリテーナの接続部分からの風漏れによって、リテーナの外壁面に結露が発生する場合がある。このとき、レジスタのリテーナが、縦長で且つ傾斜して形成される構造となっている場合、その結露水はリテーナの傾斜した壁面を下方に向かって流れやすい。
【０００５】
このため、リテーナの下方に電気部品が位置する場合、リテーナの外壁面で結露した水滴が電気部品に触れる虞があり、このような場合には電気部品の絶縁不良などによる不具合が発生する。そこで、このようなケースが予想される場合、リテーナの外壁面に、発泡ウレタン樹脂シートなどの吸水シートを貼り付け、結露による水滴がリテーナの外壁面に発生したとき、それを吸水し、水滴を下方に流さないようにしている。
【先行技術文献】
【特許文献】
【０００６】
【特許文献１】特開２００３−３４１３５５号公報
【考案の概要】
【考案が解決しようとする課題】
【０００７】
しかし、このような吸水シートをリテーナの外壁面に貼り付けた場合、冷房時にリテーナの外壁面に結露した水滴は吸水シートに吸収され、下方の電気部品への悪影響は防止できるものの、吸水シートとして発泡ウレタン樹脂シートなどの部品が必要となり、吸水シートを貼り付ける作業も必要となるため、レジスタの製造コストが増大する課題があった。
【０００８】
本考案は、上記の点に鑑みなされたものであり、部品点数を増すことなく、製造コストを上げずに、結露による電気部品への悪影響を防止することができるレジスタを提供することを目的とする。
【課題を解決するための手段】
【０００９】
本考案の請求項１のレジスタは、通風路を内部に形成したリテーナの下流側端部に、吹出口を有したベゼルが取り付けられ、風向を調整するための可動ルーバ或いはバレルユニットが該リテーナ内に配設されてなるレジスタにおいて、該ベゼルの下部に下部延設部が該リテーナの下側を覆うように設けられ、該ベゼルの下部の該下部延設部に電気部品が取り付けられ、該下部延設部の該リテーナとの間の内側面に水滴用リブが突設され、該水滴用リブは、該リテーナの外壁面に結露した水滴を、該電気部品から外れた位置に誘導して流すように形成されたことを特徴とする。
【００１０】
この考案によれば、レジスタの通風路に冷風が流れ、リテーナが冷却されてその外壁面に結露が生じた場合、結露は水滴となってベゼルの下部延設部に滴下し、下部延設部を下方に流れるが、ベゼルの下部延設部には水滴用リブが設けられるので、この水滴用リブにより水滴は電気部品から外れた位置に誘導されて流下され、結露による電気部品への悪影響は防止される。したがって、吸水シート及び吸水シートを貼り付ける作業が不要となり、部品点数や貼り付け工数を削減して、レジスタの製造コストを低減することができる。
【００１１】
ここで、上記水滴用リブは、中央部を高く、両側部を中央部より低くした略山形に形成することができる。また、上記水滴用リブは、一端を高くし他端を低くした略傾斜形に形成することができる。
【００１２】
この考案によれば、ベゼルの下部延設部に略山形または略傾斜形の水滴用リブを設けるのみの簡単な構造で、結露による悪影響を防止することができ、これにより、吸水シート及び吸水シートを貼り付ける作業が不要となり、部品点数や貼り付け工数を削減して、レジスタの製造コストを低減することができる。
【考案の効果】
【００１３】
本考案のレジスタによれば、吸水シート及び吸水シートを貼り付ける作業が不要となり、部品点数や貼り付け工数を削減して、レジスタの製造コストを低減することができる。
【図面の簡単な説明】
【００１４】
【図１】本考案の一実施形態を示すレジスタの正面図である。
【図２】図１のII-II断面図である。
【図３】図１のIII-III断面図である。
【図４】同レジスタの背面図である。
【考案を実施するための形態】
【００１５】
以下、本考案の一実施形態を図面に基づいて説明する。図１は車室の後部座席近傍などに装着される空調用のレジスタ１の正面図を示している。
【００１６】
このレジスタ１は、概略的には、通風路６を内部に形成した筒状のリテーナ２の下流側端部（上方端部）に、吹出口５を有したベゼル３が取り付けられ、風向を調整するためのバレルユニット１０がリテーナ２内に配設されて構成される。
【００１７】
リテーナ２は、図３に示すように、略方形断面を有したダクト状に形成され、リテーナ２の下流側端部はベゼル３の吹出口枠４に連結され、リテーナ２の上流側端部（下方端部）は図示しない車内の送風ダクトに接続される。また、リテーナ２の通風路６内には、吹出空気流量を調整するためのダンパ機構のダンパプレート７がダンパ軸７ａにより回転可能に軸支されている。
【００１８】
ダンパプレート７は板状に形成され、その縁部にスポンジシートなどの軟質縁部７ｂが取着され、閉鎖時にはその軟質縁部７ｂを通風路６の内周面に接触させて、密閉性を良好にしている。ダンパ機構のダンパノブ１６は、図１に示すように、レジスタ１の正面中央に設けられ、ダンパノブ１６の回動操作力が図示しないリンク部材を介して、ダンパプレート７のダンパ軸７ａに伝達され、ダンパプレート７は開閉動作する。
【００１９】
吹出口５を有するベゼル３は、吹出口枠４を含む構造として構成され、枠状の吹出口枠４の内側に吹出口５が、両側２箇所に分けて形成される。ベゼル３の正面はレジスタ１の意匠面を形成しており、また、ベゼル３の下部には、その下部を下方に延ばすように、下部延設部３ａが延設されている。さらに、リテーナ２の下流側端部はこの吹出口枠４に連結され、リテーナ２の通風路６を通して送風された空気を、ベセル３の吹出口枠４の両側２箇所の吹出口５から吹き出すようになっている。
【００２０】
また、図３に示すように、リテーナ２は、その下流側端部を斜め上方に向け、その上流側端部を斜め下方に向けて配置され、リテーナ２の外周壁２ａの下側面は斜め下方に向けて配置され、その外周壁２ａの下側面に、ベゼル３の下部延設部３ａが覆うように位置されている。このため、リテーナ２内に冷風が送られ、その外周壁２ａが冷却されて外周壁２ａの外側面に結露が生じた場合、結露による水滴はその下方に位置するベゼル３の下部延設部３ａに滴下することとなる。
【００２１】
一方、図１，３に示すように、ベゼル３の下部延設部３ａには、シガレットライター、スイッチなどの電気部品２０が取り付けられる。このため、冷房時の冷風により、リテーナ２の外周壁２ａに結露が生じてその水滴がベゼル３の下部延設部３ａに滴下すると、水滴は下部延設部３ａを流下して電気部品２０まで到達し、電気部品２０の絶縁不良など悪影響を与える可能性がある。
【００２２】
そこで、このようなリテーナ２の外周壁２ａで発生した水滴を、電気部品２０を外した位置に誘導するために、ベゼル３の下部延設部３ａに、図３に示す如く、水滴用リブ９が下部延設部３ａの内側面つまりリテーナ２側に突設される。この水滴用リブ９は、図４に示すように、中央部が高く、中央部から両側端部にかけて徐々に低くなるように略山形に形成され、電気部品２０の真上に位置して、発生した水滴を受け、電気部品２０を外した位置に水滴を誘導するようになっている。
【００２３】
一方、図２，３に示すように、リテーナ２の通風路６の上部内には、バレルユニット１０が、そのバレル本体１１の両側水平方向に突設したバレル軸１４を中心に、前後（上下）方向に回動可能に軸支される。バレルユニット１０のバレル本体１１の内側には、上流側（奥部）に奥可動ルーバ１３が複数の可動フィン１３ａを左右に回動可能に軸支して配設される。奥可動ルーバ１３の複数の可動フィン１３ａは、縦方向に且つ左右に所定間隔をおいて並設され、その上部と下部に突設した回動軸１３ｂにより、左右に回動するようになっている。奥可動ルーバ１３の複数の可動フィン１３ａにはリンクバー１３ｃが連結され、連動して回動する構造である。
【００２４】
さらに、バレルユニット１０のバレル本体１１の内側には、奥可動ルーバ１３の下流側（前部）に、複数の前フィン１２が、可動フィン１３ａと直角につまり水平横方向に並設（固定）される。また、前フィン１２の中間部の１本には、操作ノブ１５が横方向に摺動可能に装着され、操作ノブ１５の末端部は奥可動ルーバ１３の可動フィン１３ａに連係している。これにより、操作ノブ１５を持って左右に摺動操作すると、奥可動ルーバ１３の可動フィン１３ａが左右に回動し、風向を左右に調整可能となっている。また、操作ノブ１５を持って上下に摺動操作すると、バレル本体１１に固定された前フィン１２が、バレル本体１１と共にバレル軸１４を中心に上下に回動し、バレルユニット１０が上下方向に回動して、風向を上下に調整可能である。
【００２５】
上記構成のレジスタは、自動車の車内の後部座席近傍などに、そのリテーナ２の末端を図示しない通風ダクトに接続して装着される。通風ダクトから送られる空気は、リテーナ２内の通風路６から吹出口５を通して吹き出される。
【００２６】
冷房システムを通して送られる冷風は、同様に通風ダクトからリテーナ２内の通風路６に送られ、吹出口５を通して送風される。このとき、冷風が通風路６を流れて或いはリテーナ２の接続部分からの風漏れにより、リテーナ２が冷却されて、その外周壁２ａに結露が生じた場合、図３のように、結露は水滴となってベゼル３の下部延設部３ａに滴下する。この際、水滴は、下部延設部３ａを下方に流れるが、ベゼル３の下部延設部３ａの内側には水滴用リブ９が設けられているので、この水滴用リブ９により水滴は電気部品２０から外れた位置に誘導されて流下する。
【００２７】
このため、水滴が電気部品２０に付着することはなく、結露による電気部品２０への悪影響は防止される。したがって、レジスタ１の製造時、リテーナ２の外周壁２ａに吸水シート及び吸水シートを貼り付ける作業が不要となり、部品点数や貼り付け工数を削減して、レジスタの製造コストを低減することができる。
【００２８】
レジスタ１の動作の概略を説明すると、空気の吹出方向を上または下に調整する場合、操作ノブ１５を上または下に操作する。このとき、バレルユニット１０がバレル軸１４を軸に回動して、その向きが上下に変化し、空気の吹出方向が上下に調整される。
【００２９】
空気の吹出向きを左右に調整する場合、操作ノブ１５を右または左に操作すると、操作ノブ１５が前フィン１２上を右または左に摺動し、奥可動ルーバ１３の可動フィン１３ａが、その上下の回動軸１３ｂを軸に左右に回動し、その左右の向きが所定の角度範囲で変化し、空気の吹出方向が左方向または右方向に調整される。
【００３０】
送風を止めまたは絞り或は閉じた通風路６を開く場合、ベゼル３の正面中央に位置するダンパノブ１６（図１）を指などで押して上または下に回動させる。このとき、ダンパノブ１６の回動操作力がリンク部材を介してダンパプレート７に伝達され、ダンパプレート７がそのダンパ軸７ａを軸に回動し、送風を止め或いは通風路６を開いて送風を行うことができる。
【００３１】
なお、本考案は、上記の実施態様に限定されるものではなく、以下のような態様でも実施可能である。
【００３２】
上記実施形態では、リテーナ２の通風路６内にバレルユニット１０を配設し、バレルユニット１０の操作により、風向を調整するようにしたが、バレルユニット１０に代えて、相互に直交するように配置した複数の可動フィンを有する前可動ルーバと奥可動ルーバを、リテーナ２の通風路６内に配設し、風向調整を行うように構成することもできる。
【００３３】
また、上記実施形態では、水滴用リブ９が、中央部を高く、両側部を中央部より低くした略山形に形成されたが、水滴用リブの形状は、一端を高くし他端を低くした略傾斜形に形成し、上方から滴下する水滴を、電気部品以外の箇所に誘導するように構成することもできる。
【符号の説明】
【００３４】
１      レジスタ
２      リテーナ
２ａ    外周壁
３      ベゼル
３ａ    下部延設部
４      吹出口枠
５      吹出口
６      通風路
９      水滴用リブ
１０    バレルユニット
１１    バレル本体
１２    前フィン
１３    奥可動ルーバ
１３ａ  可動フィン
１３ｂ  回動軸
１３ｃ  リンクバー
１４    バレル軸
１５    操作ノブ
１６    ダンパノブ
２０    電気部品
【図１】
0003168276.tif 000003
【図２】
0003168276.tif 000004
【図３】
0003168276.tif 000005
【図４】
0003168276.tif 000006